(57)【要約】      （修正有）【課題】寸法管理し易く、繰返し使用による繰出機構の緩みが無い。経時や温度変化につよい。繰出容器を提供する。【解決手段】繰出容器１の回転体５の回転に伴い、蓋８が上昇すると、可撓性の舌部８１ａの外周部が蓋摺動部に案内されて上昇する。さらに蓋８が上昇すると、舌部８１ａは可撓性であるから、舌部８１ａは、蓋摺動部から蓋案内溝へ屈曲して通過する。さらに蓋８が上昇すると、可撓性の舌部８１ａの外周部が蓋案内溝２２に案内されて蓋が閉まる。【選択図】図１２
2017121379.tif 000002
【特許請求の範囲】
【請求項１】
上端に開口部と、内面に軸方向に延びる蓋台座摺動溝と、内面上部に把持体突起又は把持体凹部を有し、使用者が把持する筒状の把持体と、
前記把持体内に前記把持体に対し回転可能に収容され、前記把持体の軸方向に延びるガイド孔を有するガイド筒と、  
被繰出物を支持し、前記ガイド筒内に挿入され、外周面に前記ガイド孔を挿通する中皿突起を有し前記ガイド孔により前記軸方向に案内される中皿と、
上端に中筒凹部又は中筒突起を有し、前記ガイド筒が挿入され、前記把持体内に、前記把持体突起と前記中筒凹部とが、又は、前記把持体凹部と前記中筒突起とが、嵌合して、前記把持体に対し回転不能に収容され、内周面に前記中皿突起が係合する中皿用ラセン溝を有する中筒と、
前記中筒が挿入され、前記把持体内に前記把持体に対し回転可能に収容され、外周面に前記中皿用ラセン溝と逆向きの蓋用ラセン溝を有する逆ラセン筒と、
前記把持体と前記逆ラセン筒との間に配置され、前記把持体の開口部を開閉することが可能な舌部と、前記蓋台座摺動溝に嵌合し前記舌部に連なる蓋台座と、前記蓋台座に設けられ前記蓋用ラセン溝に係合する蓋突起と、を有する蓋と、
前記逆ラセン筒及び前記ガイド筒の下端部に係合し、前記把持体に対して回転可能な回転体と、
を有し、
前記回転体の正逆回転に伴い、前記蓋が前記軸方向に移動して前記開口部を開閉すると共に、前記中皿が前記蓋と反対方向に移動して前記被繰出物を出し入れすることを特徴とする繰出容器。
【請求項２】
前記蓋は、
可撓性の板状の舌部を有し,
前記把持体は、前記把持体の頂壁内面部に、前記可撓性の舌部の外周部が摺動可能に挿入される蓋案内溝を有することを特徴とする請求項１に記載の繰出容器。
【請求項３】
前記蓋は、
非可撓性の板状の舌部と、前記非可撓性の板状の舌部の側面に突起部を有し、
前記把持体は、前記把持体の頂壁内面部に、前記突起部が摺動可能に挿入される蓋案内溝を有することを特徴とする請求項１に記載の繰出容器。
【請求項４】
前記被繰出物は、前記中皿に載置される、上部ラセンタイプ繰出容器、下部ラセンタイプ繰出容器、ねじ棒タイプ繰出容器、または、繰出式ペンシル容器の中のいずれかの更なる繰出容器であることを特徴とする請求項１から３のいずれかに記載の繰出容器。
【請求項５】
前記被繰出物は、棒状化粧料、化粧用具、筆記用具、または、印鑑であることを特徴とする請求項１から３のいずれかに記載の繰出容器。
【発明の詳細な説明】
【技術分野】
【０００１】
本発明は、被繰出物を繰り出すための繰出容器に関する。
【背景技術】
【０００２】
繰出容器は、容器の一部を回転させることにより、口紅などの棒状化粧料やスティック糊等の被繰出物を手を汚さずに繰出す容器である。従来の繰出容器では、使用時に蓋の脱着という作業を伴う。従来の繰出容器には、外した蓋を紛失してしまう問題や、蓋の脱着時に被繰出物を傷つけ、商品価値を失う問題があった。
【０００３】
上記した従来技術における一般的なに問題点を解消すべく、当業者らは、繰出容器の蓋を自動的に開閉する技術を開発してきた。
このような代表的な具体例として、特許文献１に示した「繰出容器開閉装置」を挙げることができる。
【０００４】
〔特許５２１１２８６号（特許文献１）〕
特許第５２１１２８６号「繰出容器開閉装置」（特許文献１）に係る発明（以下、本願の明細書において「直近先行技術」に係る繰出容器開閉装置」又は「先願」という。）は、先行技術に係る操出容器開閉装置の解決すべき課題、耐衝撃性の向上、蓋の開閉時の安定、多様な形状・デザインに対応出来る成形しやすく、組み立てやすい操出容器などを解決した繰出容器開閉装置を開発したものである。
解決手段として、外筒及び内筒から構成された把持体と、回転体と一体に回転する環状はすば歯車又は、逆ラセン筒などを含んで構成される繰出容器開閉装置で、把持体を把持し、回転体を順回転方向に回転した時に、蓋が開放されつつ被繰出物が繰り出され、逆回転により被繰出物が繰戻され、同時に蓋が開閉する繰出容器開閉装置で、多様な形状・デザインに対応できる、耐衝撃性が向上し、蓋の開閉時の移動が安定したなどの特徴を有する繰出容器開閉装置が開示されている。
【先行技術文献】
【特許文献】
【０００５】
【特許文献１】特許第５２１１２８６号
【発明の概要】
【発明が解決しようとする課題】
【０００６】
本願発明が解決しようする課題は、従来から使われている操出容器、直近先行技術に係る繰出容器開閉装置の利点を生かしつつ、直近先行技術を製品化する過程で見出した問題点を解決することである。
【０００７】
先願の図１９に左図などに示す如く、把持体２を構成する内筒２ｃ内側に設けた回止部材２３は、中筒１３上端部を固定しており、把持体２を把持し、回転体５を回転した時、中筒１３が同じ方向に回転しないように把持体2と中筒１３が一体になるように固定されている。
【０００８】
本願発明が解決しようとする課題は、
課題１：
先願は、厳密な寸法管理が必要である。
中筒１３と回止部材２３の効果を確保するには、厳密な、寸法管理が必要である。寸法の嵌合が強いと繰出容器の機能を圧迫し、繰出容器の機能を損なうことになる。
また、把持体に強いストレスが加わる結果、把持体にストレスクラックを生じ、把持体
にヒビや破損に至ることが懸念される。
嵌合がゆるいと、中筒１３と回止部材２３の嵌合による回止機能が発揮されず、繰出容
器は空回りすることも懸念される。
生産時には、繰出容器の品質確保のため、中筒と回止部材２３の厳密な寸法管理、これ
部品の組み合わせによる一定時間毎の嵌合チェックなどにより成形品の寸法管理などが必要である。
課題２：保管条件や温度差による寸法変化対策が必要である。
製品保管や物流過程の経時、保管条件、季節の温度差により寸法変化を生じ、この影響で繰出容器の機能が損なわれることがある。
周知のごとく、プラスチックは、成形後も経時で微妙に寸法変化する。また、製品の保管温度によって、特に冬季の厳寒時には寸法が大きく変化する。
周知のごとく繰出容器の中筒は、通常金属を使用することが多い。一方、把持体の回止部材２３は、プラスチックを用いることが多い。このため、金属を応用した中筒１３とプラスチックの回止部材２３からなる嵌合構造の繰出容器は、物流過程や季節の温度変化により各部品の寸法にゆるみを生じ、回止機能がおとろえてくることがある。対策が必要である。
課題３：中筒１３の平滑な表面による滑り防止対策。
中筒１３の表面が平滑で滑り易いため、繰出容器の機能が失われることがある。
繰出容器を使用する過程で、中筒１３は、表面が平滑なため、繰出容器を繰出・繰戻す
操作を繰返し続ける過程で、嵌合強度が緩くなり滑り易くなり、このため、繰出容器の中筒の固定機能が衰えて緩み、徐々に繰出容器が機能しなくなり、空回りするようになる。
課題４、部品数の削減
先願の図１８の上右図などに図示の如く、把持体２は、「外筒２ｂ」と「二つの部品の内筒２ｃ」の合計３個の部品で構成される。この部品数を工夫し削減する必要がある。
課題５、蓋の開閉機構の安定化
蓋の機能は、自動開閉装置にとって使用中に安定した使用感のある構造であることが不可欠である。蓋は、把持体内に組込んで使用中に外れることのない、摺動時はスムースに移動する確実な構造にする必要がある。
課題５、安心して長く使用できる品質や生産性の向上、環境対応設計
操出容器の部品の単純化などによるコスト低減、生産性や品質の向上などを実現した使
い易い、利便性、省資源性など環境対応の操出容器を提供する。
課題6：各種の製品毎に使い分けている繰出容器を使用できる繰出容器
口紅など棒状化粧料の中味の硬度が低く柔らかい、中味の直径が細く折れやすい製品な
どの製品特徴に合わせて使用されている各種の繰出容器の使用が制約されることがない、使い易い操出容器を提供する。
【課題を解決するための手段】
【０００９】
本願に係る発明は、「特許請求の範囲」に記載した事項により特定される。
【００１０】
本願発明に係る繰出容器は
上端に開口部と、内面に軸方向に延びる蓋台座摺動溝と、内面上部に把持体突起又は把持体凹部を有し、使用者が把持する筒状の把持体と、
前記把持体内に前記把持体に対し回転可能に収容され、前記把持体の軸方向に延びるガイド孔を有するガイド筒と、  
被繰出物を支持し、前記ガイド筒内に挿入され、外周面に前記ガイド孔を挿通する中皿突起を有し前記ガイド孔により前記軸方向に案内される中皿と、
上端に中筒凹部又は中筒突起を有し、前記ガイド筒が挿入され、前記把持体内に、前記把持体突起と前記中筒凹部とが、又は、前記把持体凹部と前記中筒突起とが、嵌合して、前記把持体に対し回転不能に収容され、内周面に前記中皿突起が係合する中皿用ラセン溝を有する中筒と、
前記中筒が挿入され、前記把持体内に前記把持体に対し回転可能に収容され、外周面に前記中皿用ラセン溝と逆向きの蓋用ラセン溝を有する逆ラセン筒と、
前記把持体と前記逆ラセン筒との間に配置され、前記把持体の開口部を開閉することが可能な舌部と、前記蓋台座摺動溝に嵌合し前記舌部に連なる蓋台座と、前記蓋台座に設けられ前記蓋用ラセン溝に係合する蓋突起と、を有する蓋と、
前記逆ラセン筒及び前記ガイド筒の下端部に係合し、前記把持体に対して回転可能な回転体と、
を有し、
前記回転体の正逆回転に伴い、前記蓋が前記軸方向に移動して前記開口部を開閉すると共に、前記中皿が前記蓋と反対方向に移動して前記被繰出物を出し入れすることを特徴とする繰出容器。
【発明の効果】
【００１１】
本願発明による効果を以下に列記する。
効果１：寸法管理し易く、繰返し使用による繰出機構の緩みが無い。経時や温度変化につよい。
把持体内面上部に把持体突起２３又は把持体凹部２９を有し、使用者が把持する筒状の把持体と、上端に中筒凹部又は中筒突起を有し、前記把持体内に、前記把持体突起と前記中筒突起とが、又は、前記把持体凹部と前記中筒突起とが、嵌合して、前記把持体に対し回転不能に収容される構造により、これらを嵌合することにより確実に嵌合することにより、
１）繰出機能を確保するための厳しい寸法管理が必要ない。
２）繰出容器の使用時に繰り返し使用により部品が緩み操出不良となることがない。
３）温度変化などによる経時の寸法変化による繰出容器の機能不良を生じることがない。
効果２、部品の削減効果
先願の図17などに図示されているように把持体は、3つの部品からできている。
本願発明では、把持体は1〜２個にし、蓋を把持体内に閉じ込める用いる構造である。
このため繰出容器は、一定の位置を摺動するため使用時に蓋の位置がぶれることが無い。また、部品数が少なくなり、品質が向上し、生産・部品コストが低減した。
効果３、安全で使い易い。
本願発明の繰出容器により、使用する毎に蓋の脱着の必要が無く、安全で、使い易く、
生産し易い。などの効果がある。
効果４、従来容器に利便性を付与できた。
棒状化粧料の特徴に合わせて使い分けていた用途毎に異なる各種の操出容器を、本願発明の操出容器の中皿に嵌合して用いることが出来る。このため、本願発明の操出容器との従来の各種の操出容器を併用することにより「使用する毎に蓋の脱着が不用」「使用時の防蓋紛失効果がある」「蓋脱着時に製品を傷つけない」などの特徴を生かして用いることが出来る。
効果５、省資源
本願発明の操出容器の中皿に各種の繰出容器を嵌合して、繰返し使用できる詰替容器が出来る。  
このため本願発明の操出容器は、棒状化粧料、化粧用具はもちろん、各種の操出容器の併用、筆記用具、印鑑などへの広い用途が実現した。  
【図面の簡単な説明】
【００１２】
【図１】本実施形態の可撓性蓋の繰出容器において、蓋が全開の状態を示す斜視図である。
【図２】図１のＡ−Ａ断面図である。
【図３】本実施形態の凹部付繰出容器の分解斜視図である。
【図４】本実施形態の突起付繰出容器の分解斜視図である。
【図５】（Ａ）は図３のＡ−Ａ断面図、（Ｂ）は図４のＡ−Ａ断面図である
【図６】本実施形態の可撓性蓋の凹部付繰出容器の分解斜視図である。
【図７】本実施形態の可撓性蓋の凹部付繰出容器の分解斜視図である。
【図８】本実施形態の可撓性蓋の突起付繰出容器の分解斜視図である。
【図９】本実施形態の可撓性蓋の突起付繰出容器の分解斜視図である。
【図１０】本実施形態の蓋用ラセン溝と中皿用ラセン溝を展開した図である。
【図１１】本実施形態の可撓性蓋の繰出容器において、蓋が全閉の状態を示す図である。
【図１２】本実施形態の可撓性蓋の繰出容器において、蓋が中間の状態を示す図である。
【図１３】可撓性蓋の凹部付繰出容器を用いた図１２のＡ−Ａ断面図である。
【図１４】可撓性蓋の凹部付繰出容器を用いた図１２のＢ−Ｂ断面図である。
【図１５】可撓性蓋の突起付繰出容器を用いた図１２のＡ―Ａ断面図である。
【図１６】可撓性蓋の突起付繰出容器を用いた図１２のＢ―Ｂ断面図である。
【図１７】本実施形態の非可撓性蓋の繰出容器において、蓋が全開の状態を示す斜視図である。
【図１８】図１７のＡ−Ａ断面図である。
【図１９】本実施形態の非可撓性蓋の凹部付繰出容器の分解斜視図である。
【図２０】本実施形態の非可撓性蓋の凹部付繰出容器の分解斜視図である。
【図２１】本実施形態の非可撓性の蓋の斜視図である。
【図２２】本実施形態の非可撓性蓋の突起付繰出容器の分解斜視図である。
【図２３】本実施形態の非可撓性蓋の突起付繰出容器の分解斜視図である。
【図２４】本実施形態の非可撓性蓋の繰出容器において、蓋が全閉の状態を示す図である。
【図２５】本実施形態の非可撓性蓋の繰出容器において、蓋が中間の状態を示す図である。
【図２６】非可撓性蓋の凹部付繰出容器を用いた図２５のＡ−Ａ断面図である。
【図２７】非可撓性蓋の凹部付繰出容器を用いた図２５のＢ−Ｂ断面図である。
【図２８】非可撓性蓋の突起付繰出容器を用いた図２５のＡ―Ａ断面図である。
【図２９】非可撓性蓋の突起付繰出容器を用いた図２５のＢ―Ｂ断面図である。
【図３０】本実施形態の繰出容器の中皿に被繰出物として（a）上部ラセンタイプ繰出容器、（ｂ）下部ラセンタイプ繰出容器、（ｃ）ねじ棒タイプ繰出容器、（ｄ）繰出式ペンシル容器を用いた図である。
【発明を実施するための形態】
【００１３】
図１は、本実施形態の可撓性蓋の繰出容器１を正面の斜め上から見た斜視図である。図１に示すように、本実施形態の可撓性蓋の繰出容器１は、把持体２と、その下部に取り付く回転体５を有する。把持体２の上部の開口からは被繰出物１８が出し入れされる。図１は、蓋８が全開となり、口紅等の被繰出物１８を最上部に繰り出した状態を示す。
【００１４】
図２は、図１のＡ−Ａ断面図である。図２に示すように、本実施形態の繰出容器１は、回転体５と、把持体２と、逆ラセン筒９と、蓋８と、中皿１９と、ガイド筒１２と、中筒１３を有する。
【００１５】
図３は、本実施形態の凹部付繰出容器6の回転体５と逆ラセン筒９と凹部付繰出容器６を構成するガイド筒１２と中皿１９と凹部付中筒１３の分解斜視図である。凹部付繰出容器の中筒１３の上端には中筒凹部１３aを備えている。図３に示すように、本実施形態の回転体５は、上面が開放され下面が閉鎖された円筒状の部材である。回転体５は、内周面に溝５１と連結部５２を有する。
【００１６】
図４は、本願実施形態の繰出容器に用いる（Ａ）突起付中筒１３と、(B)突起付繰出容器６aと、(C)回転体５と逆ラセン筒９と突起付繰出容器６aのユニットの斜視図である。突起付中筒１３を用いた繰出容器の中筒１３の上端には中筒突起１３ｂを備えている。
【００１７】
図５（Ａ）は、図３の凹部付繰出容器６のＡ−Ａ断面図である。図３に示す如く凹部付繰出容器６は、中皿１９と、ガイド筒１２、上端に対応する一対の中筒凹部１３aを有する中筒１３により構成される。
【００１８】
図５（Ｂ）は、図４の突起付繰出容器６aのＡ−Ａ断面図である。図４に示す如く突起付繰出容器６aは、中皿１９と、ガイド筒１２、上端に対応する一対の中筒突起１３ｂを有する中筒１３により構成される。図５（Ａ）及び（Ｂ）に示す如くこれらの繰出容器には、口紅など被繰出物１８を載置することも出来る。
【００１９】
図６は、本実施形態の可撓性蓋の凹部付繰出容器６の把持体２と蓋８との分解斜視図である。図６に示すように、本実施形態の把持体２は、開口部２１を上端に有し、下端が開放された円筒状の部材である。把持体２は、把持体２の下端の外周面に突起２５を有する。また、把持体２の内上部には把持体突起２３を備えている。把持体突起２３は凹部付繰出容器6の中筒凹部１３a と嵌合し、回転体５を回転しても、中筒１３が回転しないように把持体2 に固定する。
【００２０】
図７は、本実施形態の可撓性蓋の凹部付繰出容器の分解斜視図である。図７は、把持体２と蓋８とが組み込まれたユニットと、回転体５と逆ラセン筒９と凹部付繰出容器6を構成するガイド筒１２と中皿１９と中筒凹部１３a付中筒１３が組み込まれたユニットとの態様を示す分解斜視図である。
【００２１】
図７に示すように、把持体２は、回転体５と同軸に整列して、回転体５の上部に配置される。把持体２は、回転体５の溝５１に把持体２の突起２５が係合することにより、回転体５に回転可能に取り付けられる。
【００２２】
図６に示すように、把持体２は、把持体２の上部の内周面に、対向する一対の把持体突起２３を有する。把持体２は、把持体２の内面の上下方向に蓋台座摺動溝２ｄを有する。把持体２は、把持体２の上部の内面に、蓋摺動部２４と屈曲部を介して連続する蓋案内溝２２を有する。
【００２３】
図３に示すように、本実施形態の逆ラセン筒９は、円筒状の部材である。逆ラセン筒９の外径は把持体２の外径より小さい。逆ラセン筒９の長さは、把持体２より短い。逆ラセン筒９は、外面に蓋用ラセン溝９１を有する。
【００２４】
図３に戻り、逆ラセン筒９は、逆ラセン筒９の下部に連結部９２を有する。逆ラセン筒９は、回転体５及び把持体２と同軸に整列して、把持体２の内部及び回転体５の上部に配置される。逆ラセン筒９の連結部９２と回転体５の連結部５２が嵌合することにより、逆ラセン筒９は、回転体５に固定される。
【００２５】
図３に示すように、本実施形態のガイド筒１２は、円筒状の部材である。ガイド筒１２は、ガイド筒１２の側面の長手方向に直線状のガイド孔１２ａを有する。
【００２６】
ガイド筒１２は、逆ラセン筒９と同軸に整列して、逆ラセン筒９の内部に固定して配置される。図５に示すように、ガイド筒１２は、ガイド筒１２と中筒１３との回転可能嵌合部１３ｃで回転可能に嵌合する。
【００２７】
図３に示すように、本実施形態の中皿１９は、円筒状の部材である。中皿１９は、中皿１９の上面に被繰出物１８を起立させて載せることが可能である。中皿１９は、中皿１９の外周面の対向する位置に、一対の中皿突起１９ａを有する。図１４に示すように、中皿突起１９ａは、ガイド筒１２のガイド孔１２ａを貫通して、中筒１３の中皿用ラセン溝１３ｄに係合する。
【００２８】
図６に示すように、本実施形態の蓋８は、可撓性の舌部８１ａと蓋台座８４を有する。蓋台座８４は、蓋台座８４の内面に蓋突起８５を有する。蓋８は、可撓性の舌部８１ａの外周に外周部８２ａを有する。図１３は、可撓性蓋の凹部付繰出容器を用いた図１２のＡ−Ａ断面図である。図１４は、可撓性蓋の凹部付繰出容器を用いた図１２のＢ−Ｂ断面図である。図１３及び図１４に示すように、蓋突起８５は、蓋用ラセン溝９１に摺動可能に係合する。
【００２９】
図８と図９は、本願実施形態の可撓性蓋の突起付繰出容器の分解斜視図である。
図８の上図は蓋８、中間図は中筒突起１３ｂ付繰出容器と嵌合する把持体凹部２９を備えた把持体２、下図はこれらの蓋８と把持体２を組み込んだユニットの斜視図である。
【００３０】
図９の上図は、図８の下図の蓋８と把持体２ユニット、中間図は図４（Ｂ）の回転体５と逆ラセン筒９と突起付繰出容器６aのユニットの斜視図で、下図は本実施形態の可撓性蓋の突起付繰出容器１の斜視図である。
【００３１】
図１０は、本実施形態の蓋用ラセン溝９１と中皿用ラセン溝１３ｄの展開図である。図１０に示すように、逆ラセン筒９の蓋用ラセン溝９１は、繰出容器６の中皿用ラセン溝１３ｄに対して、逆向きのラセン溝である。
逆ラセン筒の蓋用ラセン溝９１は、上部ラセンタイプの凹部付繰出容器６又は突起付繰出容器６aの中皿用ラセン溝１３ｄに対して逆向きのラセン溝であるため、中皿１９が長手方向に移動する場合には、蓋８は逆方向に移動し、中皿１９が下方向に移動する場合には、蓋８は上方向に移動する。
【００３２】
図１３は、可撓性蓋の凹部付繰出容器を用いた図１２のＡ−Ａ断面図である。図１４は、可撓性蓋の凹部付繰出容器を用いた図１２のＢ−Ｂ断面図である。図１３、図１４に示すように、蓋台座８４は、蓋台座摺動溝２ｄに上下方向に摺動可能に取り付けられる。図２、図１1及び図１２に示すように、蓋８の外周部８１ａが、蓋案内溝２２に摺動可能に挿入される。
【００３３】
次に、本実施形態の繰出容器１の動作について説明する。本実施形態の繰出容器１の使用時に、使用者は、本実施形態の繰出容器１の把持体２を片手で把持して固定し、回転体５をもう一方の手で把持して回転させる。
【００３４】
図３，４，５，６〜９、図１２〜１３、図１５に示すように、逆ラセン筒９は、逆ラセン筒９の下端の連結部９２が回転体５の連結部５２に固定されるため、回転体５と同一方向に回転する。また、凹部付繰出容器6又は凸部付繰出容器６aのガイド筒１２の回転部１２ｂは、逆ラセン筒９内に挿入時に嵌合・固定される。このため、本発明の繰出容器１の把持体２を把持し、回転体５を回転すると「回転体５と逆ラセン筒９とガイド筒１２の回転部１２ｂ」は同じ方向に回転する。本願発明の繰出容器１の中筒１３の中筒凹部１３a又は、中筒突起１３ｂは、把持体２の対向する位置の把持体突起２３、又は、把持体凹部２９と嵌合するから、中筒は把持体２に固定されて回転しない。
図5の(Ａ)及び（Ｂ）に示す如く、本願発明の繰出容器の中筒１３及びガイド筒１２は、回転部１２ｂで回転可能嵌合部１３ｃにより回転する。この構造により「把持体２の内上の把持体突起２３、または、把持体凹部２９」と「中筒１２の上端の中筒凹部１３aまたは中筒突13b」と嵌合して、中筒は把持体に固定される。併し、ガイド筒１２は、中筒１３と回転可能嵌合部１３ｃで回転可能に嵌合しており、回転体５を回転すると逆ラセン筒９ガイド筒１２の回転部１２ｂは、連結しており同じ方向に回転し、中皿は中皿用ラセン溝１３ｄと沿ってガイド孔１２aに沿って上下方向に摺動し、中皿に載置した被繰出物を出没する。
【００３５】
図３、図１４、図１６に図示の如く、中皿１９は、中皿突起１９ａが回転するガイド筒１２のガイド孔１２ａを貫通しているから、把持体２に対して回転する。蓋８は、蓋台座８４が把持体２の蓋台座摺動溝２ｄに上下方向に摺動可能に組み込まれているから、把持体２に対して回転しない。
【００３６】
図１１は、本実施形態の繰出容器１において、蓋が全閉であり、被繰出物が収納された状態を示す図である。図１２は、本実施形態の繰出容器１において、蓋及び被繰出物が中間の状態を示す図である。図２は、本実施形態の繰出容器１において、蓋が全開であり、被繰出物が繰出された状態を示す図である。
【００３７】
図２〜４、１３〜１６に示すように、中皿１９の中皿突起１９ａは、ガイド筒１２のガイド孔１２aを貫通して凹部付繰出容器６又は、突起付繰出容器６aの中筒１３の中皿用ラセン溝１３ｄに係合するため、回転体５に固定されている逆ラセン筒９とガイド筒１２の回転に伴って、長手方向に回転しながら移動する。
【００３８】
図２、１３、１４に示すように、蓋８は、蓋突起８５が蓋用ラセン溝９１に係合するため、逆ラセン筒９の回転に伴って、長手方向に移動する。蓋８は、蓋台座８４が蓋台座摺動溝２ｄに長手方向に摺動可能に取り付けられるため、長手方向移動は直線状になる。
【００３９】
図２，に示すように、回転体５の回転に伴い、蓋８が上昇すると、可撓性の舌部８１ａの外周部８２aが蓋摺動部２４に案内されて上昇する。図１２に示すように、さらに蓋８が上昇すると、舌部８１ａは可撓性であるから、舌部８１ａは、蓋摺動部２４から蓋案内溝２２へ屈曲して通過する。図１１に示すように、さらに蓋８が上昇すると、可撓性の舌部８１ａの外周部８２aが蓋案内溝２２に案内されて蓋が閉まる。
【００４０】
図２に示すように、被繰出物を繰出すために中皿１９が上昇する場合には、蓋８は下方向に動作して蓋が開き、被繰出物を繰り出すのに支障がない。一方、図１１に示すように、被繰出物を収納するために中皿１９が下降する場合には、蓋８は上方向に移動して蓋が閉まる。
【００４１】
図１３は、可撓性蓋の凹部付繰出容器６を用いた図１２のＡ−Ａ断面図である。
凹部付繰出容器６の中筒１３の中筒凹部１３aに把持体２の内上の把持体突起２３が嵌合し、中筒１３が回転しないように固定していることを図示している。
図１４は、図１２のＢ−Ｂ断面図である。
中皿突起１９aは、ガイド筒１２のガイド孔１２aを貫通し中筒１３の中皿用ラセン溝１３ｄに摺動可能に嵌合していることを図示している。把持体２を把持し、回転体５回転すると、図５に図示の如く、凹部付繰出容器６内に回転可能に収納されたガイド筒１２の回転部１２ｂは、逆ラセン筒９に固定されており回転体５と同じ方向に回転する。この回転に伴って中皿突起１９aは、中皿用ラセン溝１３ｄに沿って摺動し、ガイド孔１２aに案内され上下方向に移動し、中皿に載置した被繰出物１８を繰出容器から出没する。
中皿１９は、中皿突起１９ａが回転するガイド筒１２のガイド孔１２ａを貫通しているから、把持体２に対して回転する。蓋８は、蓋台座８４が把持体２の蓋台座摺動溝２ｄに取り付けられるから、把持体２に対して回転しない。
同時に、蓋８は、逆ラセン筒９の外側に設けた中皿用ラセン溝１３ｄとは逆向きの蓋用ラセン溝９１により、中皿とは逆方向に移動する。
【００４２】
図１５は、突起付繰出容器６aを用いた図１２のＡ−Ａ断面図である。図１６は、突起付繰出容器６aを用いた図１２のＢ−Ｂ断面図である。
突起付繰出容器６aの中筒突起１３ｂは、把持体２の内上部の凹凸を設けた把持体凹部２９と確実に嵌合しており、嵌合が緩むことはない。
使用時に把持体２を把持し、回転体５を回転して被繰出物を出没する構造は、前記、凹部付繰出容器６について記載した図１３、及び図１４と同じである。
【００４３】
蓋８は、可撓性の舌部８１ａではなく、非可撓性の舌部８１ｂを有してもよい。図１７は、本実施形態の非可撓性蓋の繰出容器において、蓋が全開の状態を示す斜視図である。
図１９と２１に示すように、蓋８は、蓋台座８４と、蓋台座８４と屈折可能に取りついた非可撓性の舌部８１ｂと、舌部８１ｂの側面に備わる突起部８２ｂとを有する。
【００４４】
図１７は、本実施形態の繰出容器１を正面の斜め上から見た斜視図である。図１７に示すように、本実施形態の繰出容器１は、把持体２と、その下部に取り付く回転体５を有する。把持体２の上部の開口からは被繰出物１８が出し入れされる。図１７は、蓋８が全開となり、口紅等の被繰出物１８を最上部に繰り出した状態を示す。
【００４５】
図１８は、図１７のＡ−Ａ断面図である。図１８に示すように、本実施形態の繰出容器１は、回転体５と、把持体２と、逆ラセン筒９と、蓋８と、中皿１９と、ガイド筒１２と、中筒１３を有する。
把持体２は、把持体２の上内面に、上方向溝２８ａと、斜め方向溝２８ｂと、水平方向溝２８ｃとが連続した蓋案内溝２８を有する。蓋案内溝２８は、蓋８の突起部８２ｂが摺動可能に挿入される。
【００４６】
図１８に示すように、回転体５の回転に伴い、蓋８が上昇すると、非可撓性の舌部８１ｂが上昇する。図２１，図２５に示すように、さらに蓋８が上昇すると、突起部８２ｂが蓋案内溝２８に案内されて、蓋８の非可撓性の舌部８１ｂは、蓋台座８４に対して内側に折れ曲がる。
【００４７】
図２４に示すように、さらに蓋８が上昇すると、非可撓性の舌部８１ｂが把持体２の開口部２１に当接して蓋が閉まる。
【００４８】
図１９〜２０は、本願実施形態の非可撓性蓋の凹部付繰出容器６の分解図である。
図２１は、本願実施形態の非可撓性蓋の斜視図である。
図１９の上図、図２１に示す如く、本実施形態の蓋８は、非可撓性の舌部８１ｂと蓋台座８４を有する。蓋台座８４は、内面に蓋突起８５を有する。蓋８は、非可撓性の舌部８１ｂの外周に突起部８２ｂを有する。
図１９の中間図は、把持体２の上内部には、凹部付繰出容器６の中筒凹部１３aと嵌合する把持体突起２３を備えている。
図１９の下図は、非可撓性蓋８を非可撓性蓋用の把持体２に組込んだユニットの斜視図である。
【００４９】
図２０は、本実施形態の非可撓性蓋の凹部付繰出容器の分解斜視図である。
図２０の上図は、図１９の下図に図示した蓋８と把持体２のユニットである。
図２０の中間図は、図３で述べた回転体５と逆ラセン筒９と凹部付繰出容器６を組み込んだユニットである。
図２０の下図は、これらのユニットを嵌合し組立てた本願発明の非可撓性蓋の操出容器１の斜視図である。
【００５０】
図２２は、本実施形態の非可撓性蓋の突起付繰出容器の分解斜視図である。
図２２の上図は、本実施形態の非可撓性の舌部蓋８の斜視図である。図２２の中間図は、非可撓性の舌部蓋用の把持体２の図で、把持体２の上内部には、突起付繰出容器６aの中筒突起１３ｂと嵌合する把持体凹部２９を備えている。図２２の下図は、これらの蓋８と把持体２を組立てたユニットの斜視図である。
【００５１】
図２３は、本実施形態の非可撓性の凸部付繰出容器の分解図である。
図２３の上図は、非可撓性の舌部蓋８と把持体２のユニットの斜視図である。
図２３の中間図は、回転体５と逆ラセン筒９と凸部付繰出容器６aとのユニットの斜視図である。
図２３の下図は、これらのユニットを組み込んだ本願発明の非可撓性蓋の操出容器１の斜視図である。
【００５２】
図２６は、非可撓性蓋の凹部付繰出容器６を用いた図２５のＡ−Ａ断面図である。
図２６などに示すように、中皿１９の中皿突起１９ａは、凹部付繰出容器６の中筒１３の中皿用ラセン溝１３ｄに係合するため、逆ラセン筒９の回転に伴って、上下方向に移動する。また、中皿突起１９ａは、ガイド筒１２のガイド孔１２ａを貫通しているため、上下移動は直線状となる。
【００５３】
図２７は、非可撓性蓋の凹部付繰出容器を用いた図２５のＢ−Ｂ断面図である。
図２７に示すように、蓋突起８５は、蓋用ラセン溝９１に係合する。このため、回転体５と一体になるように固定し嵌合した逆ラセン筒９は、回転体５の回転に伴って回転する。蓋の突起８５は、逆ラセン筒の蓋用逆ラセン溝９１と嵌合しており、蓋は上下方向に移動する。図１０に図示の如く、被繰出物を収納する中皿１９の突起１９aは、繰出容器の中皿用ラセン溝１３ｄと逆ラセン筒９の蓋用ラセン溝９１とは逆向きの構造であり、回転体５が回転すると中皿１９と蓋８は逆方向に移動し、中皿１９と蓋８に載置した被繰出物は逆方向に出没する。
【００５４】
図２６〜２７に示す如く、凹部付繰出容器６の中筒１３の中筒凹部１３aは、図２３の把持体２の内上の把持体突起２３に固定される。繰出容器１の把持体２を把持し、回転体５を回転すると、回転体５と逆ラセン筒９とガイド筒１２は、一体に固定されており、中皿１９の突起１９aは、ガイド筒１２のガイド孔１２aを貫通して中筒１３の中皿用ラセン溝１３ｄに摺動可能に嵌合しており、回転体５の回転に伴って中皿１９は回転しながら上下移動する。同時に、蓋の突起８５は、図１０に示す如く、中皿用ラセン溝１３ｄとは逆向きの逆ラセン筒９の蓋用ラセン溝９１と摺動可能に嵌合しており、中皿１９と蓋８は、逆方向に移動し、蓋８と被繰出物１８は逆方向に出没する。
【００５５】
図２８は、非可撓性蓋の突起付繰出容器を用いた図２５のＡ―Ａ断面図である。
図２９は、非可撓性蓋の突起付繰出容器を用いた図２５のＢ―Ｂ断面図である。
図４、２２、２８に示す如く、非可撓性の突起付繰出容器６aの中筒１３の中筒突起１３ｂは、把持体の内上の把持体凹部２９に固定される。突起付繰出容器６aと把持体２の内上の把持体凹部２９との嵌合後は、図２６、図２７に図示した如く、同じ構造となるため非可撓性蓋の凹部付繰出容器６と同じ動きをする。
【００５６】
被繰出物を、上部ラセンタイプ繰出容器、下部ラセンタイプ繰出容器、ねじ棒タイプ繰出容器、または、繰出式ペンシル容器等の更なる繰出容器としてもよい。
【００５７】
本実施形態では、上部ラセンタイプ繰出容器、下部ラセンタイプ繰出容器、ねじ棒タイプ繰出容器、または、繰出式ペンシル容器は、中皿１９に載置される。
【００５８】
上部ラセンタイプ繰出容器、下部ラセンタイプ繰出容器、ねじ棒タイプ繰出容器、または、繰出式ペンシル容器は公知の容器を使用すればよいため、これら容器自体の詳細な説明は省略する。
【００５９】
図３０（a）は、被繰出物として上部ラセンタイプ繰出容器を用いた繰出容器を示す図である。上部ラセンタイプ繰出容器は、砲弾形状の口紅などの化粧料を収納した中皿を、外側に配置したらせん状の溝が設けてある部品に沿って回転により繰り出す容器である。
【００６０】
上部ラセンタイプ繰出容器Ａ１の下部は中皿１９に固定されている。中皿１９が上昇した後に、上部ラセンタイプ繰出容器Ａ１の中筒１３を把持して回転体５をさらに回転させると、上部ラセンタイプ繰出容器Ａ１内部の被繰出物１８が繰り出される。
【００６１】
図３０（ｂ）は、被繰出物として下部ラセンタイプ繰出容器を用いた繰出容器を示す図である。下部ラセンタイプ繰出容器は、中皿の下部にねじやらせん部品を配置した繰出容器である。この容器は、細身口紅やスティックファンデーション、ヘアスティック、デオドラントスティックなどに使用される。
【００６２】
下部ラセンタイプ繰出容器Ａ２の下部は中皿１９に固定されている。中皿１９が上昇した後、下部ラセンタイプ繰出容器Ａ２の中筒１３を把持して回転体５をさらに回転させると、下部ラセンタイプ繰出容器Ａ２内部の被繰出物１８が繰り出される。
【００６３】
図３０（ｃ）は、被繰出物としてねじ棒タイプ繰出容器を用いた繰出容器を示す図である。ねじ棒タイプ繰出容器は、化粧料の中心にねじ棒があるタイプの容器である。この容器は容器口元から直接化粧料を充填固化させ、中心のねじ棒を回転することで固化した化粧料が繰り出される。
【００６４】
ねじ棒タイプ繰出容器Ａ３の下部は中皿１９に固定されている。中皿１９が上昇した後、ねじ棒タイプ繰出容器Ａ３の中筒１３を把持して回転体５をさらに回転させると、ねじ棒タイプ繰出容器内部Ａ３の被繰出物１８が繰り出される。
【００６５】
図３０（ｄ）は、被繰出物として繰出式ペンシル容器を用いた繰出容器を示す図である。繰出式ペンシル容器は、ラセン機構を内蔵し、芯（しん）状化粧料を繰出すことができる細身容器である。芯は、樹脂や金属製のパイプ状または３、４本の爪状の部品に固定される。容器後部の繰り出し機構を使い芯が繰り出される。
【００６６】
繰出式ペンシル容器Ａ４の下部は中皿１９に固定されている。中皿１９が上昇した後、繰出式ペンシル容器Ａ４の中筒１３を把持して回転体５をさらに回転させると、繰出式ペンシル容器Ａ４内部の被繰出物１８が繰り出される。
【００６７】
また、被繰出物は、棒状化粧料、化粧用具、筆記用具、または、印鑑であってよい。この場合には、棒状化粧料、化粧用具、筆記用具、または、印鑑は、中皿１９上に載置される。棒状化粧料、化粧用具、筆記用具、または、印鑑は、公知のものを使用すればよいため、詳細な説明は省略する。
【００６８】
そして、本実施形態の繰出容器によれば、繰出容器の部品の単純化や部品数の削減及び既存金型・設備を必要により一部修正などにより、生産性や品質の確保・向上やコスト低減・既存の製造設備の応用を実現した繰出容器を提供することが可能となる。
【符号の説明】
【００６９】
１  繰出容器
２  把持体、２ｄ  蓋台座摺動溝、２１  開口部、２２  蓋案内溝、２３  把持体突起、２４  蓋摺動部、２５  突起、２８  蓋案内溝、２８a  上方向溝、２８ｂ  斜め方向溝、２８ｃ  水平方向溝、２９  把持体凹部
５  回転体、５１  溝、５２  連結部
６  凹部付繰出容器、６a  突起付繰出容器、
８  蓋、８１ａ  可撓性の舌部、８１ｂ  非可撓性の舌部、８２a   外周部、８２ｂ  突起部、８３  蓋胴部、８４  蓋台座、８５  蓋突起
９  逆ラセン筒、９１  蓋用ラセン溝、９２  連結部、
１２  ガイド筒、１２ａ  ガイド孔、１２ｂ  回転部、
１３  中筒、１３a  中筒凹部、１３b 中筒突起、１３ｃ  回転可能嵌合部、１３ｄ  中皿用ラセン溝、
１８  被繰出物
１９  中皿、１９ａ  中皿突起
Ａ１：上部ラセンタイプ繰出容器、Ａ２：下部ラセンタイプ繰出容器、Ａ３：ねじ棒タイプ繰出容器、Ａ４：操出式ペンシル容器
【図１】
2017121379.tif 000003
【図２】
2017121379.tif 000004
【図３】
2017121379.tif 000005
【図４】
2017121379.tif 000006
【図５】
2017121379.tif 000007
【図６】
2017121379.tif 000008
【図７】
2017121379.tif 000009
【図８】
2017121379.tif 000010
【図９】
2017121379.tif 000011
【図１０】
2017121379.tif 000012
【図１１】
2017121379.tif 000013
【図１２】
2017121379.tif 000014
【図１３】
2017121379.tif 000015
【図１４】
2017121379.tif 000016
【図１５】
2017121379.tif 000017
【図１６】
2017121379.tif 000018
【図１７】
2017121379.tif 000019
【図１８】
2017121379.tif 000020
【図１９】
2017121379.tif 000021
【図２０】
2017121379.tif 000022
【図２１】
2017121379.tif 000023
【図２２】
2017121379.tif 000024
【図２３】
2017121379.tif 000025
【図２４】
2017121379.tif 000026
【図２５】
2017121379.tif 000027
【図２６】
2017121379.tif 000028
【図２７】
2017121379.tif 000029
【図２８】
2017121379.tif 000030
【図２９】
2017121379.tif 000031
【図３０】
2017121379.tif 000032
【手続補正書】
【提出日】平成28年2月9日(2016.2.9)
【手続補正１】
【補正対象書類名】明細書
【補正対象項目名】００１８
【補正方法】変更
【補正の内容】
【００１８】
図５（Ｂ）は、図４の突起付繰出容器６aのＡ−Ａ断面図である。図３〜４に示す如く突起付繰出容器６aは、中皿１９と、ガイド筒１２、上端に対応する一対の中筒突起１３ｂを有する中筒１３により構成される。図５（Ａ）及び（Ｂ）に示す如くこれらの繰出容器には、口紅など被繰出物１８を載置することも出来る。
【手続補正２】
【補正対象書類名】明細書
【補正対象項目名】００３４
【補正方法】変更
【補正の内容】
【００３４】
図３，４，５，６〜９、図１２〜１３、図１５に示すように、逆ラセン筒９は、逆ラセン筒９の下端の連結部９２が回転体５の連結部５２に固定されるため、回転体５と同一方向に回転する。また、凹部付繰出容器6又は凸部付繰出容器６aのガイド筒１２の回転部１２ｂは、逆ラセン筒９内に挿入時に嵌合・固定される。このため、本発明の繰出容器１の把持体２を把持し、回転体５を回転すると「回転体５と逆ラセン筒９とガイド筒１２の回転部１２ｂ」は同じ方向に回転する。本願発明の繰出容器１の中筒１３の中筒凹部１３a 又は、中筒突起１３ｂは、把持体２の対向する位置の把持体突起２３、又は、把持体凹部 ２９と嵌合するから、中筒は把持体２に固定されて回転しない。
図5の(Ａ)及び（Ｂ）に示す如く、本願発明の繰出容器の中筒１３及びガイド筒１２は、回転部１２ｂで回転可能嵌合部１３ｃにより回転する。この構造により「把持体２の内上
７の把持体突起２３、または、把持体凹部２９」と「中筒１３の上端の中筒凹部１３aまたは中筒突起１３ｂ」と嵌合して、中筒１３は把持体２に固定される。併し、ガイド筒１２は、中筒１３と回転可能嵌合部１３ｃで回転可能に嵌合しており、回転体５を回転すると逆ラセン筒９とガイド筒１２の回転部１２ｂは、連結しており同じ方向に一体となって回転し、中皿１９の中皿突起１９aが中皿用ラセン溝１３ｄとガイド孔１２aに沿って上下方向に摺動し、中皿に載置した被繰出物を出没する。
【手続補正３】
【補正対象書類名】図面
【補正対象項目名】図１
【補正方法】変更
【補正の内容】
【図１】
2017121379.tif 000033
【手続補正４】
【補正対象書類名】図面
【補正対象項目名】図２
【補正方法】変更
【補正の内容】
【図２】
2017121379.tif 000034
【手続補正５】
【補正対象書類名】図面
【補正対象項目名】図３
【補正方法】変更
【補正の内容】
【図３】
2017121379.tif 000035
【手続補正６】
【補正対象書類名】図面
【補正対象項目名】図４
【補正方法】変更
【補正の内容】
【図４】
2017121379.tif 000036
【手続補正７】
【補正対象書類名】図面
【補正対象項目名】図５
【補正方法】変更
【補正の内容】
【図５】
2017121379.tif 000037
【手続補正８】
【補正対象書類名】図面
【補正対象項目名】図６
【補正方法】変更
【補正の内容】
【図６】
2017121379.tif 000038
【手続補正９】
【補正対象書類名】図面
【補正対象項目名】図７
【補正方法】変更
【補正の内容】
【図７】
2017121379.tif 000039
【手続補正１０】
【補正対象書類名】図面
【補正対象項目名】図８
【補正方法】変更
【補正の内容】
【図８】
2017121379.tif 000040
【手続補正１１】
【補正対象書類名】図面
【補正対象項目名】図９
【補正方法】変更
【補正の内容】
【図９】
2017121379.tif 000041
【手続補正１２】
【補正対象書類名】図面
【補正対象項目名】図１０
【補正方法】変更
【補正の内容】
【図１０】
2017121379.tif 000042
【手続補正１３】
【補正対象書類名】図面
【補正対象項目名】図１１
【補正方法】変更
【補正の内容】
【図１１】
2017121379.tif 000043
【手続補正１４】
【補正対象書類名】図面
【補正対象項目名】図１２
【補正方法】変更
【補正の内容】
【図１２】
2017121379.tif 000044
【手続補正１５】
【補正対象書類名】図面
【補正対象項目名】図１３
【補正方法】変更
【補正の内容】
【図１３】
2017121379.tif 000045
【手続補正１６】
【補正対象書類名】図面
【補正対象項目名】図１４
【補正方法】変更
【補正の内容】
【図１４】
2017121379.tif 000046
【手続補正１７】
【補正対象書類名】図面
【補正対象項目名】図１５
【補正方法】変更
【補正の内容】
【図１５】
2017121379.tif 000047
【手続補正１８】
【補正対象書類名】図面
【補正対象項目名】図１６
【補正方法】変更
【補正の内容】
【図１６】
2017121379.tif 000048
【手続補正１９】
【補正対象書類名】図面
【補正対象項目名】図１７
【補正方法】変更
【補正の内容】
【図１７】
2017121379.tif 000049
【手続補正２０】
【補正対象書類名】図面
【補正対象項目名】図１８
【補正方法】変更
【補正の内容】
【図１８】
2017121379.tif 000050
【手続補正２１】
【補正対象書類名】図面
【補正対象項目名】図１９
【補正方法】変更
【補正の内容】
【図１９】
2017121379.tif 000051
【手続補正２２】
【補正対象書類名】図面
【補正対象項目名】図２０
【補正方法】変更
【補正の内容】
【図２０】
2017121379.tif 000052
【手続補正２３】
【補正対象書類名】図面
【補正対象項目名】図２１
【補正方法】変更
【補正の内容】
【図２１】
2017121379.tif 000053
【手続補正２４】
【補正対象書類名】図面
【補正対象項目名】図２２
【補正方法】変更
【補正の内容】
【図２２】
2017121379.tif 000054
【手続補正２５】
【補正対象書類名】図面
【補正対象項目名】図２３
【補正方法】変更
【補正の内容】
【図２３】
2017121379.tif 000055
【手続補正２６】
【補正対象書類名】図面
【補正対象項目名】図２４
【補正方法】変更
【補正の内容】
【図２４】
2017121379.tif 000056
【手続補正２７】
【補正対象書類名】図面
【補正対象項目名】図２５
【補正方法】変更
【補正の内容】
【図２５】
2017121379.tif 000057
【手続補正２８】
【補正対象書類名】図面
【補正対象項目名】図２６
【補正方法】変更
【補正の内容】
【図２６】
2017121379.tif 000058
【手続補正２９】
【補正対象書類名】図面
【補正対象項目名】図２７
【補正方法】変更
【補正の内容】
【図２７】
2017121379.tif 000059
【手続補正３０】
【補正対象書類名】図面
【補正対象項目名】図２８
【補正方法】変更
【補正の内容】
【図２８】
2017121379.tif 000060
【手続補正３１】
【補正対象書類名】図面
【補正対象項目名】図２９
【補正方法】変更
【補正の内容】
【図２９】
2017121379.tif 000061
【手続補正３２】
【補正対象書類名】図面
【補正対象項目名】図３０
【補正方法】変更
【補正の内容】
【図３０】
2017121379.tif 000062
【手続補正書】
【提出日】平成28年12月26日(2016.12.26)
【手続補正１】
【補正対象書類名】図面
【補正対象項目名】図１
【補正方法】変更
【補正の内容】
【図１】
2017121379.tif 000063
【手続補正２】
【補正対象書類名】図面
【補正対象項目名】図１９
【補正方法】変更
【補正の内容】
【図１９】
2017121379.tif 000064
【手続補正３】
【補正対象書類名】図面
【補正対象項目名】図２２
【補正方法】変更
【補正の内容】
【図２２】
2017121379.tif 000065
【手続補正４】
【補正対象書類名】図面
【補正対象項目名】図２４
【補正方法】変更
【補正の内容】
【図２４】
2017121379.tif 000066
【手続補正５】
【補正対象書類名】図面
【補正対象項目名】図２５
【補正方法】変更
【補正の内容】
【図２５】
2017121379.tif 000067